【手続補正書】
【提出日】平成19年1月25日(2007.1.25)
【手続補正１】
【補正対象書類名】明細書
【補正対象項目名】特許請求の範囲
【補正方法】変更
【補正の内容】
【特許請求の範囲】
【請求項１】  収容したテープ状部材のテープ幅に応じて形状の異なるテープカートリッジを着脱自在に装着可能なカートリッジ装着部と、
前記テープ状部材の幅方向に発熱素子を列設し、当該発熱素子の列設方向中間位置を中心に揺動自在に構成された印刷ヘッドと、
前記印刷ヘッドが前記発熱素子の列設方向中間位置で連結され、この連結点を中心に前記印刷ヘッドをプラテンに対し押圧するヘッド押圧部材と、
前記印刷ヘッドおよび前記ヘッド押圧部材にそれぞれ形成した前記発熱素子の列設方向に延在する長穴に挿通して当該印刷ヘッドと当該ヘッド押圧部材とを連結すると共に、前記ヘッド押圧部材に対する前記印刷ヘッドの揺動中心となる支点ピンと、
前記カートリッジ装着部に装着した前記テープカートリッジと協働して、前記支点ピンを前記テープ状部材の幅方向の中間位置にほぼ合致させるように、前記長穴に沿って移動させる移動手段とを備えたことを特徴とするテープ印刷装置。
【請求項２】  前記移動手段は、一方の端部に前記支点ピンを係止すると共に、前記発熱素子の列設方向に移動自在に構成されたピン移動部材と、
一方の端部を前記ピン移動部材に係止すると共に他方の端部を前記カートリッジ装着部内に突出させ、装着した前記テープカートリッジにより回動して当該ピン移動部材を前記発熱素子の列設方向に移動させる回動アームとを有することを特徴とする請求項１に記載のテープ印刷装置。
【請求項３】  前記印刷ヘッドの長穴および前記ヘッド押圧部材の長穴は、前記発熱素子の列設方向に直交する方向に離間してそれぞれ設けられ、
前記ピン移動部材は、前記長穴の中間位置で前記支点ピンを係止していることを特徴とする請求項２に記載のテープ印刷装置。
【請求項４】  前記ヘッド押圧部材を押圧方向に回動自在に支持するヘッド支持軸を、更に備え、
前記ピン移動部材は、前記ヘッド支持軸にスライド自在に且つ回動自在に軸支されていることを特徴とする請求項２または３に記載のテープ印刷装置。
【請求項５】  前記ヘッド支持軸は、前記長穴からの前記支点ピンの離脱を阻止するように配設されていることを特徴とする請求項４に記載のテープ印刷装置。
【請求項６】  前記ヘッド押圧部材は、前記印刷ヘッドを前記発熱素子の列設方向において位置規制する位置規制部を有することを特徴とする請求項１ないし５のいずれかに記載のテープ印刷装置。
【手続補正２】
【補正対象書類名】明細書
【補正対象項目名】０００５
【補正方法】変更
【補正の内容】
【０００５】
【課題を解決するための手段】
本発明のテープ印刷装置は、収容したテープ状部材のテープ幅に応じて形状の異なるテープカートリッジを着脱自在に装着可能なカートリッジ装着部と、テープ状部材の幅方向に発熱素子を列設し、発熱素子の列設方向中間位置を中心に揺動自在に構成された印刷ヘッドと、印刷ヘッドが発熱素子の列設方向中間位置で連結され、この連結点を中心に印刷ヘッドをプラテンに対し押圧するヘッド押圧部材と、印刷ヘッドおよびヘッド押圧部材にそれぞれ形成した発熱素子の列設方向に延在する長穴に挿通して印刷ヘッドとヘッド押圧部材とを連結すると共に、ヘッド押圧部材に対する印刷ヘッドの揺動中心となる支点ピンと、カートリッジ装着部に装着したテープカートリッジと協働して、支点ピンをテープ状部材の幅方向の中間位置にほぼ合致させるように、長穴に沿って移動させる移動手段とを備えたことを特徴とする。
【手続補正３】
【補正対象書類名】明細書
【補正対象項目名】０００６
【補正方法】変更
【補正の内容】
【０００６】
この構成によれば、テープ幅に応じて形状の異なるテープカートリッジに収容したテープ状部材に印刷を行う際に、テープ状部材を印刷ヘッドおよびプラテン間に挟み込んだ状態で、ヘッド押圧部材が、発熱素子の列設方向の中間位置において印刷ヘッドおよびヘッド押圧部材にそれぞれ形成した長穴に挿通する支点ピンを介して、印刷ヘッドをプラテンに向かって押圧する。この場合、印刷ヘッドは、ヘッド押圧部材に対して支点ピンを中心に押圧方向に揺動する。また、支点ピンは、装着したテープカートリッジの種別に基づいて、移動手段により長穴に沿って発熱素子の列設方向に適宜移動する。より具体的には、幅の異なるテープ状部材のテープ幅方向のほぼ中間位置に、支点ピンを適宜移動し、この状態で印刷ヘッドを押圧することができる。これにより、幅の異なるテープ状部材に対しても、テープ幅に対する発熱素子の中間位置を常に均一に押圧することができる。
【手続補正４】
【補正対象書類名】明細書
【補正対象項目名】０００７
【補正方法】変更
【補正の内容】
【０００７】
この場合、移動手段は、一方の端部に支点ピンを係止すると共に、発熱素子の列設方向に移動自在に構成されたピン移動部材と、一方の端部をピン移動部材に係止すると共に他方の端部をカートリッジ装着部内に突出させ、装着したテープカートリッジにより回動してピン移動部材を発熱素子の列設方向に移動させる回動アームとを有することが、好ましい。
【手続補正５】
【補正対象書類名】明細書
【補正対象項目名】０００８
【補正方法】変更
【補正の内容】
【０００８】
この構成によれば、テープカートリッジをカートリッジ装着部に装着すると、テープカートリッジの形状に基づいて、回動アームが異なった回動角度に回動して、ピン移動部材を発熱素子の列設方向に移動させる。これにより、ピン移動部材と共に支点ピンも発熱素子の列設方向に移動するため、テープ状部材の幅に応じて、支点ピンをテープ状部材の幅方向の適切な位置に移動させることができる。すなわち、カートリッジ装着部に装着するテープカートリッジの押込み力を利用して、支点ピンを物理的かつ直接的に移動させることができる。なお、回動角度を決定するテープカートリッジの形状の相違には、全体としての厚みの相違の他、テープカートリッジ下面の部分的な厚みの相違などがある。また、ピン移動部材と支点ピンとを一体に形成してもよい。
【手続補正６】
【補正対象書類名】明細書
【補正対象項目名】０００９
【補正方法】変更
【補正の内容】
【０００９】
この場合、印刷ヘッドの長穴およびヘッド押圧部材の長穴は、発熱素子の列設方向に直交する方向に離間してそれぞれ設けられ、ピン移動部材は、長穴の中間位置で支点ピンを係止していることが、好ましい。
【手続補正７】
【補正対象書類名】明細書
【補正対象項目名】００１０
【補正方法】変更
【補正の内容】
【００１０】
この構成によれば、ピン移動部材は、印刷ヘッドおよびヘッド押圧部材のそれぞれの長穴の間に配置され、支点ピンの両端部を長穴に挿通する。これにより、支点ピンを長穴に沿って確実に平行移動させることができる。なお、ピン移動部材は、発熱素子の列設方向に直交する方向に形成した挿通穴で支点ピンの中間部を係止していることが好ましい。
【手続補正８】
【補正対象書類名】明細書
【補正対象項目名】００１３
【補正方法】変更
【補正の内容】
【００１３】
この場合、ヘッド支持軸は、長穴からの支点ピンの離脱を阻止するように配設されていることが、好ましい。
【手続補正９】
【補正対象書類名】明細書
【補正対象項目名】００１４
【補正方法】変更
【補正の内容】
【００１４】
この構成によれば、長穴に挿通状態の支点ピンが、印刷ヘッドの揺動運動に伴なって、長穴からヘッド支持軸に向かって抜け落ちるのを有効に阻止する。なお、支点ピンは、ヘッド支持軸とは反対側の方向に対し抜け落ちないように、ヘッド支持軸側の端部に頭部を形成することが好ましい。
【手続補正１０】
【補正対象書類名】明細書
【補正対象項目名】００１５
【補正方法】変更
【補正の内容】
【００１５】
これらの場合、ヘッド押圧部材は、印刷ヘッドを発熱素子の列設方向において位置規制する位置規制部を有することが、好ましい。
【手続補正１１】
【補正対象書類名】明細書
【補正対象項目名】００１６
【補正方法】変更
【補正の内容】
【００１６】
この構成によれば、印刷ヘッドは、ヘッド押圧部材からの押圧を受けて回動しても、発熱素子の列設方向のぶれを防止することができると共に、支点ピンの発熱素子の列設方向の移動に引きずられて、移動するのを防止することができる。なお、位置規制部は、印刷ヘッドをヘッド押圧部材の内側で発熱素子の列設方向に位置規制することが、好ましい。